(57)【要約】【課題】袋綴じを行うページと行わないページとを手作業で仕分けて印刷し、或いはページの入れ替えをすることがなく１つの文書から所望の印刷を行うことができる画像形成装置及び方法並びに画像装置を提供する。【解決手段】本発明は、印刷すべき原稿画像データＤ１〜Ｄ１６のうち、袋綴じ範囲における最初の２つの原稿画像データＤ５，Ｄ６と最後の２つの原稿画像データＤ１１，Ｄ１２とを、予め設定された見開き方向とは逆方向の見開き方向に設定して集約印刷する。これに対し、残りの原稿画像データＤ１〜Ｄ４，Ｄ７〜Ｄ１０，Ｄ１３〜Ｄ１６は、設定された見開き方向に設定して集約印刷する。【選択図】図５
2008257030.tif 000002
【特許請求の範囲】
【請求項１】
複数の原稿画像を一枚の用紙の両面に印刷する集約印刷機能を備える画像形成装置において、
前記集約印刷機能によって印刷される用紙の見開き方向と、前記複数の原稿画像のうちの袋綴じを行う袋綴じ画像範囲とを設定する設定手段と、
前記設定手段によって設定された前記袋綴じ画像範囲における最初の２つの原稿画像と最後の２つの原稿画像とを前記設定手段によって設定された前記見開き方向とは逆方向の見開き方向に設定して前記集約印刷機能により印刷させ、残りの原稿画像を前記設定手段によって設定された前記見開き方向に設定して前記集約印刷機能により印刷させる制御手段と
を備えることを特徴とする画像形成装置。
【請求項２】
ユーザによって操作される操作部を備え、
前記設定手段は、前記ユーザの前記操作部の操作内容に応じて前記用紙の見開き方向と前記袋綴じ画像範囲とを設定する
ことを特徴とする請求項１記載の画像形成装置。
【請求項３】
前記複数の原稿画像を読み取る原稿画像読取装置を備え、
前記制御手段は、前記原稿画像読取装置で読み取られた複数の原稿画像を前記集約印刷機能に印刷させる
ことを特徴とする請求項２記載の画像形成装置。
【請求項４】
ネットワークに接続された端末装置との間で通信を行う通信手段を備え、
前記設定手段は、前記端末装置からの指示に基づいて、前記用紙の見開き方向と前記袋綴じ画像範囲とを設定し、
前記制御手段は、前記端末装置から送信される原稿画像を前記集約印刷機能に印刷させる
ことを特徴とする請求項１記載の画像形成装置。
【請求項５】
複数の原稿画像を一枚の用紙の両面に印刷する集約印刷機能を用いて前記複数の原稿画像を用紙に印刷する画像形成方法において、
前記集約印刷機能によって印刷される用紙の見開き方向と、前記複数の原稿画像のうちの袋綴じを行う袋綴じ画像範囲とを設定する第１ステップと、
前記第１ステップで設定された前記袋綴じ画像範囲における最初の２つの原稿画像と最後の２つの原稿画像とを前記第１ステップで設定された前記見開き方向とは逆方向の見開き方向に設定して前記集約印刷機能により印刷し、残りの原稿画像を前記第１ステップで設定された前記見開き方向に設定して前記集約印刷機能により印刷する第２ステップと
を有することを特徴とする画像形成方法。
【発明の詳細な説明】
【技術分野】
【０００１】
本発明は、画像形成装置及び画像形成方法に関する。
【背景技術】
【０００２】
複写機、プリンタ、又はこれらの機器の機能とスキャナやファクシミリの機能とを複合化した複合機等の画像形成装置は、ユーザの利便性の向上を図るために多機能化が進んでいる。例えば、以下の特許文献１には、製本時に種類の異なる広告等を自在に差し込み可能なセレクティブ印刷が可能であるとともに、袋綴じ、中綴じ、平綴じ等の多彩な製本方法を可能とした画像形成装置が開示されている。
【０００３】
また、近年においては、ユーザのコンピュータが接続されてなるネットワーク等と画像形成装置とを接続して画像形成システムを構築するのが一般化している。かかる画像形成システムでは、印刷すべき原稿画像データがコンピュータから直接画像形成装置に送信されて印刷が行われ、或いは、画像形成装置で読み取られた原稿画像データがコンピュータに転送される。これにより、複数のユーザで効率的に画像形成装置を使用することができる。
【特許文献１】特開２００５−２１６２４２号公報
【発明の開示】
【発明が解決しようとする課題】
【０００４】
ところで、上述した画像形成装置において、雑誌や週刊誌等において綴じ込みされている「袋綴じ」を１つの文書から作成しようとすると、袋綴じの内側に印刷されて欲しいページと袋綴じの外側に印刷されて欲しいページとが期待通りに印刷されないことがしばしば生ずる。このため、上記の特許文献１に開示された画像形成装置等のように袋綴じが可能な画像形成装置においては、袋綴じを行うページと行わないページとを手作業で仕分けて別々に印刷したり、或いは、袋綴じのページの順番を予め入れ替えておくといった対策が必要になる場合があり、利便性が高いとは言えない状況であった。
【０００５】
本発明は、上記事情に鑑みてなされたものであり、袋綴じを行うページと行わないページとを手作業で仕分けて印刷し、或いはページの入れ替えをすることがなく１つの文書から所望の印刷を行うことができる画像形成装置及び方法並びに画像装置を提供することを目的とする。
【課題を解決するための手段】
【０００６】
上記課題を解決するために、本発明の画像形成装置は、複数の原稿画像を一枚の用紙の両面に印刷する集約印刷機能を備える画像形成装置において、前記集約印刷機能によって印刷される用紙の見開き方向と、前記複数の原稿画像のうちの袋綴じを行う袋綴じ画像範囲とを設定する設定手段と、前記設定手段によって設定された前記袋綴じ画像範囲における最初の２つの原稿画像と最後の２つの原稿画像とを前記設定手段によって設定された前記見開き方向とは逆方向の見開き方向に設定して前記集約印刷機能により印刷させ、残りの原稿画像を前記設定手段によって設定された前記見開き方向に設定して前記集約印刷機能により印刷させる制御手段とを備えることを特徴としている。
また、本発明の画像形成装置は、ユーザによって操作される操作部を備え、前記設定手段は、前記ユーザの前記操作部の操作内容に応じて前記用紙の見開き方向と前記袋綴じ画像範囲とを設定することを特徴としている。
また、本発明の画像形成装置は、前記複数の原稿画像を読み取る原稿画像読取装置を備え、前記制御手段は、前記原稿画像読取装置で読み取られた複数の原稿画像を前記集約印刷機能に印刷させることを特徴としている。
或いは、本発明の画像形成装置は、ネットワークに接続された端末装置との間で通信を行う通信手段を備え、前記設定手段は、前記端末装置からの指示に基づいて、前記用紙の見開き方向と前記袋綴じ画像範囲とを設定し、前記制御手段は、前記端末装置から送信される原稿画像を前記集約印刷機能に印刷させることを特徴としている。
本発明の画像形成方法は、複数の原稿画像を一枚の用紙の両面に印刷する集約印刷機能を用いて前記複数の原稿画像を用紙に印刷する画像形成方法において、前記集約印刷機能によって印刷される用紙の見開き方向と、前記複数の原稿画像のうちの袋綴じを行う袋綴じ画像範囲とを設定する第１ステップと、前記第１ステップで設定された前記袋綴じ画像範囲における最初の２つの原稿画像と最後の２つの原稿画像とを前記第１ステップで設定された前記見開き方向とは逆方向の見開き方向に設定して前記集約印刷機能により印刷し、残りの原稿画像を前記第１ステップで設定された前記見開き方向に設定して前記集約印刷機能により印刷する第２ステップとを有することを特徴としている。
【発明の効果】
【０００７】
本発明によれば、集約印刷機能によって印刷される用紙の見開き方向と、複数の原稿画像のうちの袋綴じを行う袋綴じ画像範囲とを設定し、設定された袋綴じ画像範囲における最初の２つの原稿画像と最後の２つの原稿画像とを設定された見開き方向とは逆方向の見開き方向に設定して集約印刷機能により印刷し、残りの原稿画像を定された見開き方向に設定して集約印刷機能により印刷しているため、袋綴じを行うページと行わないページとを手作業で仕分けて印刷し、或いはページの入れ替えをすることがなく１つの文書から所望の印刷を行うことができるという効果がある。
【発明を実施するための最良の形態】
【０００８】
以下、図面を参照して本発明の一実施形態による画像形成装置及び画像形成方法について詳細に説明する。図１は、本発明の一実施形態による画像形成装置の外観を示す斜視図である。尚、本実施形態では画像形成装置がファクシミリ、複写機、プリンタの各機能を備える複合機である場合を例に挙げて説明する。図１に示す通り、本実施形態の画像形成装置１は、装置本体部２、表示操作部３、及び画像読み取り部４を備える。装置本体部２は、その内部に画像メモリ、画像処理部、印刷部、及び制御部等（図２参照）を備える。
【０００９】
表示操作部３は、ユーザにより操作される操作部３ａと透明電極からなるタッチパネルが全面に配された表示部３ｂとを備えており、装置本体部２の上部手前側に設けられている。また、画像読み取り部４は、原稿を自動的に給紙するための自動原稿送り装置（ＡＤＦ：Auto Document Feeder）４ａ、原稿を載置する透明ガラスからなるテーブル４ｂ、及び原稿を読み取るためのスキャナ部４ｃ（図２参照）を備えており、装置本体部２の上部で表示操作部３以外の部分に設けられている。
【００１０】
図２は、本発明の一実施形態による画像形成装置の要部構成を示すブロック図である。図２に示す通り、本実施形態の画像形成装置１は、上記の操作部３ａ、表示部３ｂ、及びスキャナ部４ｃ（原稿画像読取装置）に加えて、制御部１１（制御手段）、原稿枚数カウンタ１２、画像メモリ１３、画像処理部１４、印刷処理部１５、印刷部１６、及び通信部１７（通信手段）を備えている。
【００１１】
操作部３ａは、ファクシミリ、複写機、及びプリンタの各機能を選択する機能キー、集約印刷モードを含む各種印刷モードの選択、又は袋綴じの指示及び見開き方向の指示等を行うためのカーソルキー、印刷部数、コピー枚数等を指定するための数値データを入力するためのテンキー、電源のオン・オフを行う電源キー等の各種キーを備える。ここで、集約印刷モードとは、複数の原稿画像を一枚の用紙に印刷する機能（集約印刷機能）を動作させるモードをいう。
【００１２】
この集約印刷モードでは、２つの原稿画像を縮小して一枚の用紙に集約印刷するモード（２in１モード）、４つの原稿画像を縮小して一枚の用紙に集約印刷するモード（４in１モード）等が選択可能である。尚、集約印刷モード時においては両面印刷も可能である。また、集約印刷モードにおいては、印刷後の原稿の見開き方向（右見開き若しくは左見開き、又は上見開き若しくは下見開き）が選択可能である。表示部３ｂは、操作部３ａのキー操作に応じて、各種画面、ガイダンス、及び各種指示等のメッセージを表示する。スキャナ部４ｃは、図１に示すテーブル４ｂ上に載置された原稿、又は自動原稿送り装置４ａによって送り出される原稿を読み取り、その画像情報をディジタルデータ（原稿画像データ）に変換して出力する。
【００１３】
制御部１１は、スキャナ部４ｃ、印刷処理部１５等の画像形成装置１に設けられた各ブロックを制御して、画像形成装置１の動作を統括的に制御する。具体的には、ユーザが操作部３ａを操作して原稿読み取り指示を行った場合には、スキャナ部４ｃを制御してテーブル４ｂ上に載置された原稿、又は自動原稿送り装置４ａによって送り出される原稿を読み取らせ、読み取られた原稿画像データを画像メモリ１３に記憶させる制御を行う。また、不図示のネットワークに接続された端末装置（図示省略）から原稿画像データが送信されてきた場合には、通信部１７を制御して送信されてきた原稿画像データを画像メモリ１３に記憶させる制御を行う。
【００１４】
また、制御部１１は、画像メモリ１３に記憶された原稿画像データの読み出し制御を行うとともに、読み出された原稿画像データを印刷処理部１５に出力することで原稿画像データを印刷させる制御を行う。また、ユーザの指示によって集約印刷モードが選択されている場合には、制御部１１は画像処理部１４を制御して、例えば２つの原稿画像データを縮小させて用紙の片面に並べて配置させる（２in１モードの場合）。
【００１５】
ここで、制御部１１は、袋綴じ範囲設定部１１ａ（設定手段）及び見開き方向設定部１１ｂ（設定手段）を備える。袋綴じ範囲設定部１１ａは、ユーザが操作部３ａを操作して袋綴じを行う原稿の範囲を指示した場合、或いは不図示の端末装置から袋綴じの原稿の範囲を指示する制御信号が送信されてきた場合に、その指示内容に従って袋綴じを行う原稿画像データの範囲を設定する。見開き方向設定部１１ｂは、ユーザの操作部３ａの操作によって原稿の見開き方向が指示された場合、又は不図示の端末装置からの制御信号によって原稿の見開き方向が指示された場合に、その指示内容に従って見開き方向を設定する。
【００１６】
制御部１１は、集約印刷モードが選択されている場合には、袋綴じ範囲設定部１１ａ及び見開き方向設定部１１ｂの各々の設定内容に応じた印刷制御を行う。具体的には、印刷すべき原稿画像データのうち、袋綴じ範囲設定部１１ａによって設定された範囲における最初の２つの原稿画像データと最後の２つの原稿画像データとを、見開き方向設定部１１ｂに設定された見開き方向とは逆方向の見開き方向に設定して集約印刷させる。これに対し、印刷すべき原稿画像データのうちの残りの原稿画像データを集約印刷させる場合には、見開き方向設定部１１ｂに設定された見開き方向に設定して集約印刷させる。尚、袋綴じを行う場合の動作の詳細については後述する。
【００１７】
原稿枚数カウンタ１２は、自動原稿送り装置４ａを用いて原稿を読み取る際に、読み取る原稿の枚数を計数し、その計数結果を制御部１１に出力する。画像メモリ１３は、スキャナ部４ｃから出力される原稿画像データ、又は不図示のネットワークに接続された端末装置から送信されてきた原稿画像データを記憶する。この画像メモリ１３は、例えばＲＡＭ（Random Access Memory）等の半導体記憶装置、又はハードディスク等の磁気記憶装置で実現される。
【００１８】
画像処理部１４は、制御部１１の制御下で原稿画像データに対して所定の画像処理を行う。具体的には、原稿画像データが圧縮されている場合には展開処理を行う。また、集約印刷モードが選択されている場合には、２つの原稿画像データを縮小させて用紙の片面に並べて配置させる（２in１モードの場合）画像処理を行う。印刷処理部１５は、制御部１１から出力される制御信号、及び画像処理部１４から出力される原稿画像データに基づいて印刷部１６を制御し、原稿画像データを用紙に印刷させる。印刷部１６は、印刷制御部１５の制御の下で、原稿画像データを用紙に印刷する。
【００１９】
通信部１７は、不図示のネットワークに接続された不図示の端末装置と通信を行う。ここで、本実施形態の画像形成装置１は、ネットワークに接続された端末装置から印刷を指示する旨の制御信号と、印刷すべき原稿画像データとが送信されてきた場合には、送信されてきた原稿画像データを印刷することが可能である。通信部１７は、端末装置からの制御信号を制御部１１に出力し、原稿画像データを画像メモリ１３に出力する。尚、端末装置からの制御信号には、印刷部数を指示する制御信号、集約印刷を指示する制御信号、袋綴じの範囲を指示する制御信号、見開き方向を指示する制御信号等の各種の制御信号が含まれる。尚、以下の説明では、端末装置から送信される各種制御信号と原稿画像データとを総称する場合には「印刷データ」という。
【００２０】
次に、本発明の一実施形態による画像形成装置１の動作について説明する。図３は、本発明の一実施形態による画像形成方法を示すフローチャートである。尚、以下の説明では、不図示のネットワークに接続された端末装置から送信される印刷データに基づいて画像形成装置１が印刷を行う場合を例に挙げて説明する。また、図３においては、本発明と直接関係のない処理については図示を省略しており、以下の説明では本発明に直接関係のある処理について重点的に説明する。
【００２１】
まず、制御部１１は、不図示の端末装置から送信された印刷データが通信部１７によって受信されたか否かを判断する（ステップＳ１１）。通信部１７が端末装置からの印刷データを受信していない場合には判断結果は「ＮＯ」となり、ステップＳ１１の処理を繰り返す。ここで、端末装置を操作するユーザが、画像形成装置１に対して、図４に示す原稿画像データの印刷指示を行ったとする。
【００２２】
図４は、ユーザによって印刷指示された原稿画像データの一例を示す図である。図４に示す例では、原稿画像データＤ１から原稿画像データＤ１６までの１６ページ分の原稿画像データを含み、原稿画像データＤ５から原稿画像データＤ１２までの８ページ分の原稿画像データを袋綴じ印刷するように設定された印刷データを図示している。尚、この印刷データは、原稿画像データを用紙の両面に集約印刷（２in１）するよう設定されており、またその見開き方向が「左見開き」に設定されているものとする。
【００２３】
図４に示す印刷データが端末装置から送信されてくると、通信部１７は、端末装置からの印刷データに含まれる制御信号を制御部１１に出力する。これにより、ステップＳ１１の判断結果は「ＹＥＳ」となり、制御部１１は通信部１７を制御して印刷データに含まれる印刷画像データＤ１〜Ｄ１６を画像メモリ１３に蓄積させる（ステップＳ１２）。印刷画像データＤ１〜Ｄ１６の蓄積が終了すると、制御部１１は端末装置からの印刷データに含まれる制御信号によって、集約印刷モードが選択されており、且つ袋綴じの指示が有るか否かを判断する（ステップＳ１３）。
【００２４】
ここでは、印刷データにおいて、原稿画像データを用紙の両面に集約印刷（２in１）するよう設定されており、且つ袋綴じ印刷するよう設定されている場合を考えているため、ステップＳ１３の判断結果は「ＹＥＳ」になる。尚、ステップＳ１３の判断結果が「ＮＯ」となった場合には、図３に示す一連の処理を終了し、指示された印刷方法に従った処理が行われる。
【００２５】
ステップＳ１３の判断結果が「ＹＥＳ」になると、制御部１１の袋綴じ範囲設定部１１ａは、印刷データに含まれる制御信号に基づいて袋綴じを行う原稿画像データの範囲を設定する（ステップＳ１４：第１ステップ）。具体的には、原稿画像データＤ５〜Ｄ１２を袋綴じを行う原稿画像データの範囲に設定する。次いで、制御部１１の見開き方向設定部１１ｂは、印刷データに含まれる制御信号に基づいて見開き方向を設定する（ステップＳ１５：第１ステップ）。具体的には、見開き方向を「左見開き」に設定する。
【００２６】
以上の処理を終了すると、制御部１１は画像メモリ１３に記憶された原稿画像データＤ１〜Ｄ１６の読み出し制御を行うとともに、画像処理部１４を制御して読み出した原稿画像データのうちの２つの原稿画像データを縮小させて用紙の片面に並べて配置させる画像処理を行う。そして、画像処理が行われた原稿画像データを印刷処理部１５に出力して用紙の両面に集約印刷する。
【００２７】
図５は、本発明の一実施形態による画像形成方法で行われる集約印刷を説明するための図である。集約印刷においては、制御部１１は、まず袋綴じを行う原稿画像データの範囲における最初の２つの原稿画像データＤ５，Ｄ６及び最後の２つの原稿画像データＤ１１，Ｄ１２を除いた原稿画像データを左見開きで集約印刷させる（ステップＳ１６：第２ステップ）。
【００２８】
つまり、図５（ａ）に示す通り、袋綴じの範囲に含まれてない原稿画像データＤ１〜Ｄ４，Ｄ１３〜Ｄ１６については、用紙Ｐ１の片面に原稿画像データＤ１，Ｄ１６を集約印刷するとともに用紙Ｐ１の他面に原稿画像データＤ２，Ｄ１５を集約印刷し、用紙Ｐ２の片面に原稿画像データＤ３，Ｄ１４を集約印刷するとともに用紙Ｐ２の他面に原稿画像データＤ４，Ｄ１３を集約印刷する。
【００２９】
このとき、用紙Ｐ１の紙面に交差する方向から見た場合に原稿画像データＤ１，Ｄ２が重なるとともに原稿画像データＤ１６，Ｄ１５が重なるよう印刷される。また、用紙Ｐ２についても同様であり、用紙Ｐ２の紙面に交差する方向から見た場合に原稿画像データＤ３，Ｄ４が重なるとともに原稿画像データＤ１４，Ｄ１３が重なるよう印刷される。
【００３０】
また、袋綴じの範囲に含まれている原稿画像データではあるが、その範囲における最初の２つの原稿画像データＤ５，Ｄ６及び最後の２つの原稿画像データＤ１１，Ｄ１２以外の原稿画像データＤ７〜Ｄ１１についても同様の印刷が行われる。つまり、用紙Ｐ３の片面に原稿画像データＤ７，Ｄ８を集約印刷するとともに用紙Ｐ３の他面に原稿画像データＤ１０，Ｄ９を集約印刷する。このとき、用紙Ｐ３の紙面に交差する方向から見た場合に原稿画像データＤ７，Ｄ８が重なるとともに原稿画像データＤ１０，Ｄ９が重なるよう印刷される。
【００３１】
次に、制御部１１は、原稿の見開き方向を、見開き方向設定部１１ｂに設定された見開き方向とは逆に設定する（ステップＳ１７）。つまり、ステップＳ１５においては、原稿の見開き方向が「左見開き」に設定されていたため、ここでは「右見開き」に設定する。次いで、制御部１１は、袋綴じを行う原稿画像データの範囲における最初の２つの原稿画像データＤ５，Ｄ６及び最後の２つの原稿画像データＤ１１，Ｄ１２を右見開きで集約印刷させる（ステップＳ１８：第２ステップ）。
【００３２】
つまり、図５（ｂ）に示す通り、用紙Ｐ４の片面に原稿画像データＤ６，Ｄ１１を集約印刷するとともに用紙Ｐ４の他面に原稿画像データＤ５，Ｄ１２を集約印刷する。このとき、用紙Ｐ４の紙面に交差する方向から見た場合に原稿画像データＤ６，Ｄ５が重なるとともに原稿画像データＤ１１，Ｄ１２が重なるよう印刷される。以上の処理で図３に示した一連の処理は終了する。
【００３３】
図６，図７は、袋綴じ付きの冊子を作成する手順を示す図である。集約印刷された用紙Ｐ１，Ｐ２を、図５（ａ）に示す状態で重ねて折り曲げ線Ｌ（用紙Ｐ１，Ｐ２の中心を通って短辺に平行な線）に沿って谷折りにすれば、図６（ａ）に示す通り、左見開きで原稿画像データＤ１〜Ｄ４及び原稿画像データＤ１３〜Ｄ１６が順番通りに配列された小冊子Ｋ１が得られる。
【００３４】
また、集約された用紙Ｐ３を、図５（ｂ）に示す状態で折り曲げ線Ｌ（用紙Ｐ３の中心を通って短辺に平行な線）に沿って谷折りにすれば、図６（ｃ）に示す通り、左見開きで原稿画像データＤ７〜Ｄ１０が順番通りに配列された小冊子Ｋ２が得られることになる。更に、集約された用紙Ｐ４を、図５（ｂ）に示す状態で折り曲げ線Ｌ（用紙Ｐ４の中心を通って短辺に平行な線）に沿って山折りにすれば、右見開きで原稿画像データＤ５，Ｄ６が番号順に配列されるとともに、原稿画像データＤ１１，Ｄ１２が番号順に配列された小冊子Ｋ３が得られる。
【００３５】
次に、図７に示す通り、小冊子Ｋ２と小冊子Ｋ３とを組み合わせて小冊子Ｋ４を作成する。このとき、小冊子Ｋ２の見開き部が小冊子Ｋ３の見開き部の内側に収まるように小冊子Ｋ２と小冊子Ｋ３とを組み合わせる。次いで、小冊子Ｋ２，Ｋ３から作成された小冊子Ｋ４を、小冊子Ｋ４が見開き部が小冊子Ｋ１の見開き部の内側に収まるように小冊子Ｋ１に組み込めば袋綴じ付きの冊子Ｂが作成される。
【００３６】
以上説明した通り、本発明の一実施形態による画像形成装置及び画像形成方法は、袋綴じ範囲における最初の２つの原稿画像データＤ５，Ｄ６と最後の２つの原稿画像データＤ１１，Ｄ１２とを、見開き方向設定部１１ｂで設定された見開き方向とは逆方向の見開き方向に設定して集約印刷し、残りの原稿画像データを、見開き方向設定部１１ｂで設定された見開き方向に設定して集約印刷している。このため、袋綴じを行うページと行わないページとを手作業で仕分けて印刷し、或いはページの入れ替えをすることがなく１つの文書から所望の印刷を行うことができる。
【００３７】
以上、本発明の一実施形態による画像形成装置及び画像形成方法について説明したが、本発明は上記実施形態に制限されることなく、本発明の範囲内で自由に変更が可能である。例えば、上記実施形態では、ネットワークに接続されたコンピュータから印刷データが送信された場合の動作を例に挙げて説明したが、印刷された原稿をスキャナ部４ｃで読み取らせる場合にも上記実施形態と同様の所望の印刷を行うことができる。また、上記実施形態においては、画像形成装置が複合機である場合を例に挙げて説明したが、本発明は、複合機以外に、複写機、プリンタ等の機器にも適用可能である。
【００３８】
また、上記実施形態では、説明を簡単にするために、袋綴じを行う原稿画像データの数が「４」の倍数である８つである場合を例に挙げて説明したが、「４」の倍数以外の場合であっても本発明を適用することができる。例えば、袋綴じを行う原稿画像データの数が「４」の倍数＋２（例えば、６）である場合には、用紙Ｐ３に代えて用紙Ｐ３の半分の大きさの用紙を用い、その用紙の両面に２ページ分の原稿画像データを縮小印刷すれば対応が可能である。また、袋綴じを行う原稿画像データの数が「４」の倍数＋１（例えば、７）である場合には、袋綴じ範囲外の１ページ分の原稿画像データを袋綴じ範囲に含めることにより、空白ページの発生を防止することができる。
【図面の簡単な説明】
【００３９】
【図１】本発明の一実施形態による画像形成装置の外観を示す斜視図である。
【図２】本発明の一実施形態による画像形成装置の要部構成を示すブロック図である。
【図３】本発明の一実施形態による画像形成方法を示すフローチャートである。
【図４】ユーザによって印刷指示された原稿画像データの一例を示す図である。
【図５】本発明の一実施形態による画像形成方法で行われる集約印刷を説明するための図である。
【図６】袋綴じ付きの冊子を作成する手順を示す図である。
【図７】袋綴じ付きの冊子を作成する手順を示す図である。
【符号の説明】
【００４０】
１        画像形成装置
３ａ      操作部
４ｃ      スキャナ部
１１      制御部
１１ａ    袋綴じ範囲設定部
１１ｂ    見開き方向設定部
１７      通信部
【図１】
2008257030.tif 000003
【図２】
2008257030.tif 000004
【図３】
2008257030.tif 000005
【図４】
2008257030.tif 000006
【図５】
2008257030.tif 000007
【図６】
2008257030.tif 000008
【図７】
2008257030.tif 000009